(57)【特許請求の範囲】
【請求項１】
反応容器内の溶媒を加熱する加熱装置と、前記反応容器の上部に配置される還流冷却器とを備えた還流装置において、前記還流冷却器内で温度が上昇した循環冷却水を還流冷却器の一端部から導出する導出管と、該導出管を介して送られる温度が上昇した循環冷却水をファンからの送風で冷却するラジエータと、該ラジエータから導出された冷却された循環冷却水を貯留する水槽と、該水槽内の循環冷却水を前記還流冷却器の他端部に戻す導入管と、該導入管の途中に設けられるポンプとを備えるとともに、前記水槽内の循環冷却水の温度が異常上昇した時、又は、前記循環冷却水の流量が異常低下した時に前記加熱装置を停止させる制御部を設けたことを特徴とする還流装置。
【発明の詳細な説明】
【技術分野】
【０００１】
本発明は、還流冷却器を用いて、還流操作を行うための還流装置に係り、詳しくは、ドラフトチャンバー内で行う小容量の還流操作に適した還流装置に関する。
【背景技術】
【０００２】
還流冷却器は、蒸留フラスコ等の反応容器の上部に配設され、反応容器内の有機溶媒を沸騰させることによって上昇した蒸気を冷やして凝縮させるもので、蒸気が通る管内に、冷却水が通る冷却管を挿入している（例えば、特許文献１参照）。この還流操作は、通常ドラフトチャンバー内で操作され、操作時には、水道水や井戸水などの冷却水を前記冷却管に流しっぱなしの状態にしている。
【０００３】
また、別途市販の冷凍機や電子冷却機能付きの冷却水循環装置を組み合わせて、還流冷却器に送られる冷却水を循環させるようにしたものもある。
【特許文献１】特開２００２−１２６４０１号公報
【発明の開示】
【発明が解決しようとする課題】
【０００４】
しかし、上述の特許文献１の還流冷却器に、冷却水として水道水を用いる場合では、水道水を流しっぱなしの状態とするために、ランニングコストが嵩むとともに、万が一、配管が外れるようなことがあると、還流冷却器に冷却水が循環しなくなり、反応容器内の蒸気が冷却されることなく大気に放出される虞があった。また、冷却水として井戸水を用いる場合では、不定期に水圧変動があったり、水中に砂等の固体が含まれていたりすることから、配管を閉塞させる虞があるとともに、還流冷却器へ流れる水の量が一定でないことから、配管が外れやすくなり、水道水の場合と同様に反応容器内の蒸気が冷却されることなく大気に放出される虞があった。また、配管が外れると、水道水や井戸水を流しっぱなしの状態にしていることから、周囲が水浸しになっていた。
【０００５】
また、市販の冷凍機や電子冷却機能付きの冷却水循環装置を利用して、還流冷却器に送る冷却水を循環させるものでは、冷却水循環装置が重量物であることから、ドラフトチャンバー内に設置することは難しかった。また、この冷却水循環装置は、還流冷却器の冷却水循環用の専用機ではないことから、配管や冷却機能に不具合が生じた際に、加熱装置を制御する機能は備えていなかった。
【０００６】
そこで本発明は、還流冷却器に用いられる冷却水を循環させて使用することができるとともに、各機器を小型軽量化してドラフトチャンバー内に収容でき、さらに、循環冷却水の循環状態や冷却状態に不具合が生じた際には、加熱装置を停止することのできる還流装置を提供することを目的としている。
【課題を解決するための手段】
【０００７】
上記の目的を達成するため本発明は、反応容器内の溶媒を加熱する加熱装置と、前記反応容器の上部に配置される還流冷却器とを備えた還流装置において、前記還流冷却器内で温度が上昇した循環冷却水を還流冷却器の一端部から導出する導出管と、該導出管を介して送られる温度が上昇した循環冷却水をファンからの送風によって冷却するラジエータと、該ラジエータから導出された冷却された循環冷却水を貯留する水槽と、該水槽内の循環冷却水を前記還流冷却器の他端部に戻す導入管と、該導入管の途中に設けられるポンプとを備えるとともに、前記水槽内の循環冷却水の温度が異常上昇した時、又は、前記循環冷却水の流量が異常低下した時に前記加熱装置を停止させる制御部を設けたことを特徴としている。
【発明の効果】
【０００８】
本発明は上述のように、還流冷却器に用いられる冷却水を循環して使用することから、ランニングコストの低減を図ることができるとともに、一定の循環冷却水をポンプによって安定して還流冷却器に送ることができるので、循環冷却水の循環状態を良好に保つことができる。また、小容量の還流操作を行うものであれば、循環冷却水はファンによる空冷熱交換で充分に冷却することができ、さらに、ラジエータや水槽を還流装置専用に形成することから、ラジエータや水槽を小型化してドラフトチャンバーに収容させることができ、還流操作を簡便に行うことができる。また、万が一、配管が外れるようなことがあっても、冷却水の水量は限られているので、従来のように周囲を水浸しにすることはない。さらに、循環冷却水の循環状態や冷却状態に不具合が生じる場合があっても、制御部によって加熱装置を停止させ、反応容器内の蒸気が冷却されることなく大気に放出されることを防止できる。
【発明を実施するための最良の形態】
【０００９】
以下、本発明の一形態例を図１に示される還流装置を示す説明図に基づいて詳しく説明する。還流装置１は、小容量の還流操作を行うもので、反応容器２内の有機溶媒を加熱させる加熱装置３と、反応容器２の上部に配置する還流冷却器４と、還流冷却器４で温度が上昇した循環冷却水を還流冷却器４の冷却管４ａの上部から導出する導出管５と、該導出管５を介して送られる温度が上昇した循環冷却水をファン６ａを用いて冷却するラジエータ６と、該ラジエータ６から排出された冷却された循環冷却水を貯留する水槽７と、水槽７内の循環冷却水を還流冷却器４の下部に戻す導入管８と、該導入管８の途中に設けられるポンプ９とを備えている。
【００１０】
加熱装置３は、ホットプレートスターラー等の周知のものが用いられ、制御部を備えた加熱用電源１０に繋げることにより、ホットプレートスターラー上の湯浴の温度を所定の温度に保持させる。反応容器２は、丸底やなす底等の蒸留フラスコが用いられ、有機溶媒を入れ、上部に還流冷却器４を取り付けた状態で、加熱装置３上の湯浴中で加熱して反応させる。
【００１１】
還流冷却器４は、周知のものが用いられ、本形態例では、蒸気が通る外管４ｂに、冷却水が通る前記冷却管４ａを挿入している。外管４ｂには、冷却管４ａに連通して循環冷却水を導入及び導出する２つの側管が形成され、該側管に導出管５と導入管８とをそれぞれ連通させている。
【００１２】
導出管５は、ファン６ａを備えた空冷式のラジエータ６に連結され、該ラジエータ６には冷却された循環冷却水を水槽７に導入する配管６ｂが接続されている。前記配管６ｂは、上部を開放した水槽７に接続され、該水槽７に溜まった循環冷却水は、ポンプ９によって前記導入管８を介して前記還流冷却器４の下部に戻される。
【００１３】
また、前記水槽７には、循環冷却水の温度を検知し、該温度が異常上昇した時に、制御部を介して加熱用電源１０から加熱装置３への通電を停止させるサーマルリレー１１が設けられるとともに、導入管８の循環冷却水の流量を検知し、該流量が異常低下した時に、制御部を介して加熱用電源１０から加熱装置３への通電を停止させるフローセンサ１２を備えている。
【００１４】
このような還流装置１を用いて行う還流操作は、最大１リットルまでの小容量の還流操作で、ドラフトチャンバー内に還流装置１を収容する。加熱装置３の湯浴中に、有機溶媒を入れ、上部に還流冷却器４を備えた反応容器２を配設し、加熱装置３を加熱用電源１０に繋げ、湯浴を所定の温度に保持させる。反応容器２中の有機溶媒は加熱されて沸騰し、蒸気が還流冷却器４に導入される。還流冷却器４は、前記導入管８からポンプ９によって循環冷却水が冷却管４ａ内に送り込まれ、蒸気と熱交換し、該蒸気を凝縮させて反応容器２に流下させる。また、温度が上昇した循環冷却水は、前記導出管５からラジエータ６に送られる。ラジエータ６では、ファン６ａからの送風によって温度が上昇した循環冷却水が冷却される。この還流操作は、常圧〜微加圧下での反応であるので、有機溶媒の沸点が極端に低くなることはなく、室温程度の水の温度が確保されれば良いことから、循環冷却水はファン６ａによる空冷熱交換で充分に冷却することができる。ラジエータ６によって冷却された循環冷却水は、配管６ｂによって水槽７に導入され、水槽７内の循環冷却水は、前記ポンプ９によって、前記導入管８を介して還流冷却器４に循環する。また、ファン６ａやポンプ９が故障した場合は、前記サーマルリレー１１やフローセンサ１２が作動して加熱装置３を強制的に停止させ、有機溶媒の加熱を停止させることができる。
【００１５】
本形態例の還流装置１は上述のように構成されることにより、還流冷却器４に用いられる冷却水を循環して使用することができ、ランニングコストの低減を図ることができるとともに、一定の循環冷却水をポンプ９によって安定して還流冷却器４に送ることができることから、循環冷却水の循環状態を良好に保つことができる。また、小容量の還流操作を行うものであることから、循環冷却水はファン６ａによる空冷熱交換で充分に冷却することができ、さらに、ラジエータ６や水槽７を還流装置専用に形成することから、ラジエータ６や水槽７を小型化してドラフトチャンバーに収容させることができ、還流操作を簡便に行うことができる。また、万が一、導出管５や導入管８が外れるようなことがあっても、循環冷却水の水量は限られているので、流しっぱなしの水道水や井戸水を使用していた従来のように、周囲を水浸しにすることはない。さらに、循環冷却水の循環状態や冷却状態に不具合が生じた際には、前記サーマルリレー１１やフローセンサ１２が作動して加熱装置３を強制的に停止させ、有機溶媒の沸騰を停止させることができる。これにより、反応容器２内の蒸気が冷却されることなく大気に放出される虞がない。
【００１６】
なお、本発明に適用される還流冷却器は、上述の形態例の構造に限らず、周知の様々な構造の還流冷却器を使用することができる。
【図面の簡単な説明】
【００１７】
【図１】本発明の一形態例を示す還流装置の説明図である。
【符号の説明】
【００１８】
１…還流装置、２…反応容器、３…加熱装置、４…還流冷却器、５…導出管、６…ラジエータ、６ａ…ファン、７…水槽、８…導入管、９…ポンプ、１０…加熱用電源、１１…サーマルリレー、１２…フローセンサ
【図１】
0004611220.tif 000002